(57)【特許請求の範囲】
【請求項１】
二分割構造の一方のケース（１４）に形成された開口（１７）と、
前記開口を区画する仕切り部材（１８、１９）と、
前記ケースの表面側に突出するように前記仕切り部材上に形成された突起（２３、２４）と、
前記仕切り部材によって仕切られた区画（２０〜２２）に前記ケースの裏面側から装着される少なくとも二つの押しボタン（１１〜１３）と、を備えると共に、
前記押しボタンは、略平板状の押しボタン部（１１ａ、１２ａ、１３ａ）と、
前記押しボタン部の外縁に形成された係止部とを備え、
前記係止部は、前記押しボタンを前記ケースの裏面側から前記区画に装着した際に、前記ケースの裏面側から前記開口の外縁に当接する第１の係止部（１１ｂ、１１ｃ、１２ｂ、１２ｃ、１３ｂ）と、前記仕切り部材の前記ケースの表面側に当接する第２の係止部（１１ｄ、１１ｅ、１２ｆ、１２ｇ、１２ｄ、１２ｅ、１３ｃ、１３ｄ）とで構成されていることを特徴とする携帯機。
【請求項２】
前記第１の係止部が、前記区画に対する前記押しボタンの位置合わせ用としても機能することを特徴とする請求項１記載の携帯機。
【請求項３】
前記突起は、前記二つの押しボタンによって周囲が囲まれていることを特徴とする請求項１記載の携帯機。
【発明の詳細な説明】
【技術分野】
【０００１】
本発明は、携帯機に関し、たとえば、自動車等車両のリモートキーレスエントリシステムなどにおけるリモコン装置として用いられる携帯機に関する。
【背景技術】
【０００２】
リモートキーレスエントリシステムは、リモコン装置（以下、携帯機という。）の押しボタンを操作するだけで、メカニカルキーを使用することなく、ドアの施解除等を行うことができる便利なシステムであり、一般的に、リモートキーレスエントリシステム用の携帯機には、様々な用途、たとえば、ドアの施錠用、解錠用及びスライドドアの開閉用などの複数の押しボタンが備えられている。
【０００３】
ところで、この種の携帯機においては、押しボタンの誤操作を回避するための工夫が凝らされており、たとえば、下記の特許文献１には、その一例として、各押しボタンの間に“突起”を設けたものが開示されている。
【０００４】
図９は、従来技術の携帯機の外観図である。ちなみに、この図は特許文献１の「正面図」と「右側面図」に相当するものである。携帯機１は、手持ちに適した小さな本体２の前面に複数個、ここでは三つの押しボタン（以下、第一押しボタン３、第二押しボタン４、第三押しボタン５という。）を配置して構成されている。第一押しボタン３はドアの施錠用、第二押しボタン４はドアの解錠用、第三押しボタン５はスライドドアの開閉用である。
【０００５】
このような構成の携帯機１において、夜間等の暗い場所で押しボタンを操作をする際に、ドアを解錠するつもりが、間違ってスライドドアを開いてしまうことがある。すなわち、第二押しボタン４を押すべきところ、隣の第三押しボタン５を誤って押してしまうことがある。
【０００６】
こうした不都合を回避するために、従来技術においては、第一押しボタン３と第二押しボタン４の間、及び、第二押しボタン４と第三押しボタン５の間に、それぞれ横長状の突起（以下、第一突起６、第二突起７という。）を設けている。このようにすると、暗い場所で押しボタン操作をする際には、まず、第一及び第二突起６、７を触って、三つの押しボタン（第一押しボタン３、第二押しボタン４、第三押しボタン５）の位置関係を把握し、それから目的の押しボタンを探し出して押圧操作することにより、上述の誤操作を回避することができる。
【０００７】
ここで、第一及び第二突起６、７の長手方向寸法Ｘは、各押しボタン（代表して第二押しボタン４）の横方向寸法Ｙよりも若干小さくなっており、さらに、第一押しボタン３の下側（本明細書においては、特に言及しない限り、上下左右の各方向は図面の方向に従うことにする。）の二つの角３ａと第二押しボタン４の上側の二つの角４ａの間に第一突起６が位置し、且つ、第二押しボタン４の下側の二つの角４ｂと第三押しボタン５の上側の二つの角５ａの間に第二突起７が位置している。これは、三つの押しボタン（第一〜第三押しボタン３〜５）の間に、Ｙ＞Ｘなる短めの突起（第一及び第二突起６、７）を入れると共に、Ｙ−Ｘの余裕部分に三つの押しボタン（第一〜第三押しボタン３〜５）の各々の角を隣り合わせて配置することにより、三つの押しボタンに“一体感”を醸し出すためのデザイン上の要求である。
【０００８】
【特許文献１】意匠登録第１２２１５１９号
【発明の開示】
【発明が解決しようとする課題】
【０００９】
ところで、従来技術にあっては、各押しボタンの間に突起（第一及び第二突起６、７）を設ける点についての開示はあるものの、三つの押しボタン（第一〜第三押しボタン３〜５）を本体２にどのように組み込むかについての開示がなく、したがって、以下に詳述するような製造上の不都合を否めないという問題点がある。
【００１０】
図９において、第一及び第二突起６、７は、いずれも本体２と一体に成形されたものである。また、第一〜第三押しボタン３〜５は、いずれも本体２に開けられた不図示の押しボタン穴に装着されるものである。
【００１１】
さて、第一〜第三押しボタン３〜５は、当然ながら、装着後に自然に脱落しないようにするための何らかの抜け止め対策が講じられているはずである。この対策について、図９には明示されていないものの、たとえば、以下のようなものであると推測される。
【００１２】
図１０は、従来技術の抜け止め対策を示す断面図である。この図において、（ａ）は、本体２の「裏面側」から押しボタン穴２ａよりも若干大きな第一〜第三押しボタン３〜５を装着することにより、抜け止め対策とするものである。以下、この対策を第一の抜け止め対策ということにする。また、（ｂ）は、本体２の「表面側」から第一〜第三押しボタン３〜５を装着すると共に、本体２の「裏面側」から押しボタン穴２ａよりも若干大きな抜け止めプレート３ａ、４ａ、５ａを差し入れて、この抜け止めプレート３ａ、４ａ、５ａと第一〜第三押しボタン３〜５とを接着又はビス止めする等して固定することにより、抜け止め対策とするものである。以下、この対策を第二の抜け止め対策ということにする。
【００１３】
しかしながら、第一の抜け止め対策にあっては、本体２の表面側に臨む第一〜第三押しボタン３〜５の大きさを押しボタン穴２ａの大きさ以上にすることができず、前記のデザイン上の要求、すなわち、各押しボタンの角（第一押しボタン３の下側の二つの角３ａ、第二押しボタン４の上側の二つの角４ａ、第二押しボタン４の下側の二つの角４ｂ、第三押しボタン５の上側の二つの角５ａ）を突起（第一及び第二突起６、７）の横に配置することができないという不都合がある。
【００１４】
また、第二の抜け止め対策にあっては、前記のデザイン上の要求に応えることができるものの、抜け止めプレート３ａ、４ａ、５ａやビス等の部品増加に加えて、抜け止めプレート３ａ、４ａ、５ａと第一〜第三押しボタン３〜５との固定作業が必要となり、コストアップを招くという不都合がある。
【００１５】
そこで本発明の目的は、製造時のコストアップを招かない携帯機を提供することを目的としている。
【課題を解決するための手段】
【００１６】
請求項１記載の発明は、二分割構造の一方のケースに形成された開口と、前記開口を区画する仕切り部材と、前記ケースの表面側に突出するように前記仕切り部材上に形成された突起と、前記仕切り部材によって仕切られた区画に前記ケースの裏面側から装着される少なくとも二つの押しボタンと、を備えると共に、前記押しボタンは、略平板状の押しボタン部と、前記押しボタン部の外縁に形成された係止部とを備え、前記係止部は、前記押しボタンを前記ケースの裏面側から前記区画に装着した際に、前記ケースの裏面側から前記開口の外縁に当接する第１の係止部と、前記仕切り部材の前記ケースの表面側に当接する第２の係止部とで構成されていることを特徴とする携帯機である。
請求項２記載の発明は、前記第１の係止部が、前記区画に対する前記押しボタンの位置合わせ用としても機能することを特徴とする請求項１記載の携帯機である。
請求項３記載の発明は、前記突起は、前記二つの押しボタンによって周囲が囲まれていることを特徴とする請求項１記載の携帯機である。
【発明の効果】
【００１７】
本発明では、押しボタンをケースの裏面側から区画に装着した際に、係止部によって押しボタンの抜け止めが講じられるので、たとえば、前記第二の抜け止め対策のように、ビス止めなどの工数増や部品点数増がなく、製造時のコストアップを招かない携帯機を提供することができる。
【発明を実施するための最良の形態】
【００１８】
以下、本発明の実施の形態を、リモートキーレスエントリシステムのリモコン装置（以下、携帯機という。）への適用を例にして、図面に基づいて説明する。
【００１９】
まず、本実施形態に係る携帯機の外観を説明する。
図１は、携帯機１０の正面図であり、（ａ）は三つの押しボタン（第一押しボタン１１〜第三押しボタン１３）を装着した後の携帯機１０を示す図、（ｂ）は三つの押しボタン（第一押しボタン１１〜第三押しボタン１３）を装着する前の携帯機１０を示す図である。なお、以下の説明では、三つの押しボタンを備えた携帯機１０を例にするが、これに限定されない。押しボタンの数は複数（少なくとも２個）であればよい。
【００２０】
図２は、図１（ｂ）に対応する携帯機１０の外観図である。この図に示すように、携帯機１０は、アッパーケース１４とロアーケース１５からなる二分割構造の本体１６を備えている。なお、ロアーケース１５は、不図示の電子基板や電池等を実装するためのものであるが、本発明と直接の関連がないため、ここでの説明を割愛する。
【００２１】
図１及び図２において、アッパーケース１４の前面（表面）には、縦長状の開口１７が形成されており、この開口１７は、アッパーケース１４と一体に成形された二本の仕切り部材（以下、第一仕切り部材１８、第二仕切り部材１９という。）によって三つに区画（以下、第一区画２０、第二区画２１、第三区画２２という。）されており、各区画２０〜２２は、第一押しボタン１１の装着穴、第二押しボタン１２の装着穴、及び、第三押しボタン１３の装着穴として用いられる。
【００２２】
第一仕切り部材１８と第二仕切り部材１９には、それぞれ第一突起２３、第二突起２４が一体に形成されている。これらの突起（第一突起２３、第二突起２４）は、冒頭で説明した従来技術の第一突起６、第二突起７に相当するものであり、従来技術と同様に、第一突起２３及び第二突起２４の長手方向寸法Ｘは、三つの押しボタン（第一〜第三押しボタン１１〜１３）の横方向寸法Ｙよりも小さい「Ｙ＞Ｘ」の関係にあり、且つ、Ｙ−Ｘの余裕部分に三つの押しボタン（第一〜第三押しボタン１１〜１３）の角（第一押しボタン１１の下側の二つの角１１１、第二押しボタン１２の上側の二つの角１２１、第二押しボタン１２の下側の二つの角１２２、第三押しボタン１３の上側の二つの角１３１）が位置するようになっている。すなわち、冒頭で説明した「デザイン上の要求」に沿うようになっている。
【００２３】
図３は、アッパーケース１４の背面斜視図である。この図に示すように、アッパーケース１４の背面側から三つの押しボタン（第一押しボタン１１、第二押しボタン１２、第三押しボタン１３）を差し入れ、それぞれの押しボタンを図示のように傾けながら、第一区画２０、第二区画２１及び第三区画２２に順次（順番は問わない）に装着する。
【００２４】
次に、押しボタンの構造について説明する。
図４は、第一押しボタン１１の背面図、Ａ−Ａ断面図、Ｂ−Ｂ断面図である。第一押しボタン１１は、プラスチック素材等で一体成形された略平板状の押しボタン部１１ａからなり、この押しボタン部１１ａの左右外縁上部から各々左方と右方に突出する舌辺状の係止部１１ｂ、１１ｃと、下外縁両端から下方に突出する舌辺状の係止部１１ｄ、１１ｅと、前記の係止部１１ｂ、１１ｃを含むように、押しボタン部１１ａの上外縁及び左右外縁の一部に形成された薄肉部１１ｆ、１１ｆとを備える。
【００２５】
図５は、第二押しボタン１２の背面図、Ｃ−Ｃ断面図、Ｄ−Ｄ断面図である。第二押しボタン１２は、プラスチック素材等で一体成形された略平板状の押しボタン部１２ａからなり、この押しボタン部１２ａの左外縁略中央部から左方に突出する舌辺状の係止部１２ｂと、押しボタン部１２ａの右外縁から右方に突出する舌辺状の係止部１２ｃと、下外縁両端から下方に突出する舌辺状の係止部１２ｄ、１２ｅと、上外縁両端から上方に突出する舌辺状の係止部１２ｆ、１２ｇと、前記の係止部１２ｂを含むように、押しボタン部１２ａの左外縁の一部に形成された薄肉部１２ｈとを備える。
【００２６】
図６は、第三押しボタン１３の背面図、Ｅ−Ｅ断面図、Ｆ−Ｆ断面図である。第三押しボタン１３は、プラスチック素材等で一体成形された略平板状の押しボタン部１３ａからなり、この押しボタン部１３ａの左外縁下端付近から左方に突出する舌辺状の係止部１３ｂと、押しボタン部１３ａの上外縁両端から上方に突出する舌辺状の係止部１３ｃ、１３ｄと、前記の係止部１３ｂを含むように、押しボタン部１３ａの左右外縁の一部及び下外縁に形成された薄肉部１３ｅ、１３ｅとを備える。
【００２７】
次に、押しボタンと押しボタン装着穴（区画）の関係について説明する。
図７は、第一〜第三押しボタン１１〜１３と第一〜第三区画２０〜２２との関係を示す図である。なお、この図は、第一〜第三押しボタン１１〜１３を装着した状態のアッパーケース１４を裏面側（背面側）から見た図である。アッパーケース１４の裏面側には、第一〜第三区画２０〜２２の周囲を巡る壁２６が形成されており、装着された第一〜第三押しボタン１１〜１３は、この壁２６の内側に収まるようになっている。
【００２８】
壁２６には位置合わせのための４つの開放部（以下、第一〜第四開放部２７〜３０という。）が形成されており、第一及び第二開放部２７、２８は第一押しボタン１１の位置合わせ用、第三開放部２９は第二押しボタン１２の位置合わせ用、第四開放部３０は第三押しボタン１３の位置合わせ用である。すなわち、各々の開放部に、第一〜第三押しボタン１１〜１３の係止部１１ｂ、１１ｃ、１２ｂ、１３ｂが収まることによって各押しボタンの位置合わせを行うようになっている。
【００２９】
さて、第一押しボタン１１を矢印イの方向に差し込むと、つまり、第一押しボタン１１を斜めにして上から下へと差し込むと、第一押しボタン１１の下外縁の係止部１１ｄ、１１ｅが第一仕切り部材１８の裏面側に入り、そして、そのまま第一押しボタン１１を静かに第一区画２０に置くと、第一押しボタン１１の係止部１１ｂ、１１ｃが第一及び第二開放部２７、２８に収まって自然に位置合わせが行われる。
【００３０】
同様にして、第二押しボタン１２を矢印ロの方向に差し込むと、つまり、第二押しボタン１２を斜めにして下から上へと差し込むと、第二押しボタン１２の上外縁の係止部１２ｆ、１２ｇが第一仕切り部材１８の両側切り込み１８ａ、１８ｂに当接する。そして、そのまま第二押しボタン１２を静かに第二区画２１に置くと、第二押しボタン１２の下外縁の係止部１２ｄ、１２ｅが第二仕切り部材１９の両側切り込み１９ａ、１９ｂに当接すると共に、第二押しボタン１２の係止部１２ｂが第三開放部２９に収まり、自然に位置合わせが行われる。
【００３１】
同様にして、第三押しボタン１３を矢印ハの方向に差し込むと、つまり、第三押しボタン１３を斜めにして下から上へと差し込むと、第三押しボタン１３の上外縁の係止部１３ｃ、１３ｅが第二仕切り部材１９の裏面側に入り、そして、そのまま第三押しボタン１３を静かに第三区画２２に置くと、第三押しボタン１３の係止部１３ｂが第四開放部３０に収まり、自然に位置合わせが行われる。
【００３２】
図８は、押しボタン装着時の様子と装着後の様子を示すアッパーケース１４の断面図である。この図に示すように、本実施形態では、（イ）アッパーケース１４に装着後の第一〜第三押しボタン１１〜１３は、各々の係止部１１ｄ、１１ｅ、１２ｆ、１２ｇ、１２ｄ、１２ｅ、１３ｃ、１３ｄ、１３ｅの間に、第一突起２３、第二突起２４を挟装（挟んだ状態に備え付けること）しているから、冒頭で説明した「デザイン上の要求」にも応えることができる。加えて、（ロ）アッパーケース１４の第一〜第三区画２０〜２２に対して、アッパーケース１４の裏面側から第一〜第三押しボタン１１〜１３をそれぞれ斜めにしながら、所定方向（矢印イ〜ハの方向）から差し入れるだけで、抜け止め対策を講じつつ、ワンタッチで第一〜第三押しボタン１１〜１３を装着することができ、冒頭で説明した第二の抜け止め対策の欠点、つまり、従来技術のような抜け止めプレートやビス止め等を必要とせず、コストアップを招かないという特有の効果が得られる。
【００３３】
なお、以上の説明では、リモートキーレスエントリシステムのリモコン装置への適用を例にしたが、これに限定されないことはもちろんである。複数の押しボタンを備えると共に、前記のような「デザイン上の要求」がある携帯機一般（たとえば、ＡＶ機器や家電製品又はその他電子機器等のリモコン装置、あるいは、携帯情報端末や携帯電話等の携帯型電子機器など）に広く適用することができる。
【図面の簡単な説明】
【００３４】
【図１】本実施形態の携帯機１０の正面図である。
【図２】図１（ｂ）に対応する携帯機１０の外観図である。
【図３】アッパーケース１４の背面斜視図である。
【図４】第一押しボタン１１の背面図、Ａ−Ａ断面図、Ｂ−Ｂ断面図である。
【図５】第二押しボタン１２の背面図、Ｃ−Ｃ断面図、Ｄ−Ｄ断面図である。
【図６】第三押しボタン１３の背面図、Ｅ−Ｅ断面図、Ｆ−Ｆ断面図である。
【図７】第一〜第三押しボタン１１〜１３と第一〜第三区画２０〜２２との関係を示す図である。
【図８】押しボタン装着時の様子と装着後の様子を示すアッパーケース１４の断面図である。
【図９】従来技術の携帯機の外観図である。
【図１０】従来技術の抜け止め対策を示す断面図である。
【符号の説明】
【００３５】
１１  第一押しボタン（押しボタン）
１１ａ、１２ａ、１３ａ  押しボタン部
１１ｄ、１１ｅ、１２ｆ、１２ｇ、１２ｄ、１２ｅ、１３ｃ、１３ｄ  係止部
１２  第二押しボタン（押しボタン）
１３  第三押しボタン（押しボタン）
１４  アッパーケース（ケース）
１７  開口
１８  第一仕切り部材（仕切り部材）
１９  第二仕切り部材（仕切り部材）
２０  第一区画（区画）
２１  第二区画（区画）
２２  第三区画（区画）
２３  第一突起（突起）
２４  第二突起（突起）
【図１】
0005004349.tif 000002
【図２】
0005004349.tif 000003
【図３】
0005004349.tif 000004
【図４】
0005004349.tif 000005
【図５】
0005004349.tif 000006
【図６】
0005004349.tif 000007
【図７】
0005004349.tif 000008
【図８】
0005004349.tif 000009
【図９】
0005004349.tif 000010
【図１０】
0005004349.tif 000011